(57)【特許請求の範囲】
【請求項１】
発行を所望する証明書類のメニューを選択入力する操作部と、該操作部で選択入力された証明内容を証明書用の用紙に印字する証明書類印字部と、該印字された複数の証明書類を一括製本して自動発行する証明書類搬送機構部とを備え、証明内容を印字し複数の証明書類を一括製本して自動発行する証明書類自動発行装置であって、
前記証明書類搬送機構部は、
前記証明書類印字部から送出された複数枚の証明書類を、印刷面を上面にして、送出されてきた順に下側にスタックする第１のスタック手段と、複数の証明書類を一括綴じ製本する製本部と、複数部の証明書類を一括して発行するように、それらを一括してスタックする第２のスタック手段と、該第１のスタック手段にスタックされた複数の証明書類を、前記スタック時の搬送方向と逆方向に搬送して切り替えゲートを介して前記製本手段に搬送する第１の搬送制御手段と、前記製本手段で製本された証明書類を前記第１のスタック手段に搬送する第２の搬送制御手段と、前記切り替えゲートを切り替え、前記第２の搬送制御手段で搬送されて第１のスタック手段にスタックされた証明書類を前記製本手段とは異なる待避位置に待避させる第３の搬送制御手段と、該待避位置に待避させた証明書類を前記第２のスタック手段に搬送する第４の搬送制御手段とを具備するとともに、前記第１のスタック手段と前記第２のスタック手段は少なくとも一部が上下に重ねられて配置されることを特徴とする証明書類自動発行装置。
【請求項２】
請求項１記載の証明書類自動発行装置において、前記第１のスタック手段および第２のスタック手段は、証明書類を挟持して搬送するローラまたはベルトを有し、証明書類をスタックするときは該証明書類を挟持するローラまたはベルトを開いて紙葉類をその間にスタックし、証明書類を搬送するときは該証明書類を挟持するローラまたはベルトを閉じて搬送するものであることを特徴とする証明書類発行装置。
【請求項３】
請求項１または２に記載の証明書類自動発行装置において、前記製本部に送り込まれた複数の証明書類を一括綴じ製本する前に前記第１のスタック手段を構成する前記ローラまたはベルトを開いて前記複数の証明書類を整列する整列手段をさらに設けたことを特徴とする証明書類自動発行装置。
【請求項４】
請求項３記載の証明書類自動発行装置において、前記整列手段は、前記証明書類の前端を前記製本部の基準面に当てた後、該証明書類の後端をたたいて整列させる手段であることを特徴とする証明書類自動発行装置。
【発明の詳細な説明】
【０００１】
【発明の属する技術分野】
本発明は、自治体における住民票や印鑑証明書類、納税証明書、外国人登録済証明書、大学の卒業証明書などのいわゆる証明書類を自動的に発行する装置に係り、特に、小型で効率の良い証明書類自動発行装置に関する。
【０００２】
【従来の技術】
近年、上述した如き自治体における住民票、印鑑証明書類、納税証明書、外国人登録済証明書、あるいは大学の卒業証明書などの各種証明書類の発行処理は、効率向上、サービスの向上を目指して、窓口業務における職員による手作業による発行処理から、平日、休日を問わず利用者が何時でも直接操作して待ち時間なしで所望の証明書類を取得できるいわゆる証明書類の自動発行装置に対するニーズが高まっている。
【０００３】
このようなニーズに対して様々な証明書類の自動発行装置が提案されているが、従来のかかる製品は装置が大型で高価であった。
【０００４】
また、特に自治体等における住民票の場合、世帯票や個人票いずれの場合においても１セットが複数枚に渡る場合があり、このような場合、複数枚の証明書をホッチキスで一括製本し出力することが求められ、この場合、一枚一枚を順次きちんと重ね合わせ効率良く発行することが要求される。従来はこうした製本は窓口による職員の手作業で行われていたが、自動機で行なおうとした場合、例えば印刷面を下に向け次用紙を順次上に自由落下で積み重ねる方式（以下、従来方式という）が一般的であった。
【０００５】
上述した如き従来方式においては、証明書類を積み重ねる、いわゆるスタック機構が大型化せざるを得ず、また自由落下のため積み重ねる時に揺動し不揃いが生じ、これらを修正しきちんと製本できるようスタック整列機構が必要になる等、ますます装置が大型化、複雑、高価とならざるを得なかった。
【０００６】
本出願人は、先に、上記問題点を解消するための証明書類自動発行装置を特開平１１−２１３２４５号公報として提案した。
この公開公報に提案した証明書類自動発行装置の概略動作を、図１７を用いて説明する。
【０００７】
図示しない上位装置に接続されている制御装置８７の指示により、発行すべき証明書Ｓは印刷装置８６により所望のフォーマットで印刷され、第１のスタック手段９０まで搬送され、印刷面が上向きになるよう送り込まれる。また、証明書Ｓの認証印となる公印を朱印で印字する朱印印字手段８８が設けられており、証明書Ｓの所望の位置に搬送しながら印字するようになっている。
【０００８】
第１のスタック手段９０に送り込まれた最初の証明書Ｓ１は予め押し下げられているストッパ９２に先端が当たるまでローラで送り込まれる。その時、証明書Ｓの後端は可暁性を有する羽の付いた回転羽根車８９により押し上げられ、次にスタックすべき証明書Ｓ２が前記証明書Ｓ１の下側に送り込まれスタックされる。このように証明書Ｓ１、Ｓ２・・は第１のスタック手段９０に印刷面を上にし発行順に順次整列スタックされるようになっている。
【０００９】
ここで証明書Ｓ１,Ｓ２…が第１のスタック手段９０にスタックされる時、第１のスタック手段９０部分のローラは、微弱な圧力（ピンチローラ自身の自重）で押圧されており、該証明書Ｓ１,Ｓ２・・が座屈することなくスタックできるようになっている。このようにして所望の枚数の証明書Ｓ１，Ｓ２・・が第１のスタック手段９０に整列スタックされると、駆動制御部８７により、ストッパ９２が上に上げられると同時に押圧手段９１に押圧力が付加され、所望枚数の証明書は製本手段９３に送り込まれ、所望の契印（図１９の（イ）：自治体のコードなど）がパンチされると共に、ホッチキス（図１９の（ロ））により一連の証明書Ｓ１，Ｓ２・・・が１セットとして製本される。製本された証明書は第１のスタック手段９０を経由して第２のスタック手段９４内に送り込まれる。
【００１０】
以上のプロセスを繰返し、証明書が所望の部数第２のスタック手段９４内にスタックが完了すると、証明書発行口９６から一括発行される。証明書が、一定時間内に利用者が取り出さなかった場合、取り忘れと判断され、証明書を逆搬送して証明書回収スタッカ９５内に回収する。
【００１１】
図１８は、図１７の証明書類自動発行装置の正面図であり、Ａは現金系処理部で、９７は硬貨投入口、９８は紙幣投入口、９９は釣銭口を示している。
【００１２】
【発明が解決しようとする課題】
上記公開公報に開示された証明書類自動発行装置の構成によると、一定の小型化を実現できるが、それでも、当該証明書類発行装置の奥行きとしては、取り扱う証明書類の搬送方向の最大サイズの２倍＋製本手段９３の奥行き程度以上が必要であり、様々な設置場所を考えるとさらなる小型化が要望される。
【００１３】
そこで、本発明の目的は、搬送機構を工夫し、上記公報で提案した証明書類自動発行装置よりさらに小型化が可能な証明書類自動発行装置を提供することである。
【００１４】
【課題を解決するための手段】
上記目的を達成するために、本発明は、発行したい証明書類を選択入力する操作部、選択入力された証明内容を印字する証明書類印字部、複数の証明書類を一括製本して自動発行する証明書類搬送機構部を備える。そして証明書類搬送機構部は、証明書類印字部から送出された複数枚の証明書類を印刷面を上面にして送出されてきた順に下側にスタックする第１のスタック手段（１１７）と、複数の証明書類を一括綴じ製本する製本部（１２０）と、複数部の証明書類を一括して発行するように、それらを一括してスタックする第２のスタック手段（１２１）と、該第１のスタック手段（１１７）にスタックされた複数の証明書類を、スタック時の搬送方向と逆方向に搬送して切り替えゲート（１１８）を介して製本手段（１２０）に搬送する第１の搬送制御手段と、製本手段（１２０）で製本された証明書類を第１のスタック手段（１１７）に搬送する第２の搬送制御手段と、切り替えゲート（１１８）を切り替え、第２の搬送制御手段で搬送されて第１のスタック手段（１１７）にスタックされた証明書類を製本手段（１２０）とは異なる待避位置に待避させる第３の搬送制御手段と、該待避位置に待避させた証明書類を第２のスタック手段（１２１）に搬送する第４の搬送制御手段とを具備するとともに、第１のスタック手段（１１７）と第２のスタック手段（１２１）は少なくとも一部が上下に重ねられて配置される。この構成により、奥行きの小さい小型化された証明書類発行装置を実現することができる。
【００１５】
【発明の実施の形態】
以下、本発明に係る証明書類を発行する証明書類自動発行装置を、図面を用いて詳細に説明する。
【００１６】
図１は、本発明に係る証明書類自動発行装置の概観図である。
同図において、１は本発明に係る証明書類自動発行装置、１１はＬＣＤ／タッチパネル、１２は磁気カードやＩＣカードなどのＩＤカードを挿入するＩＤカード挿入口、１３はレシート（領収書）排出口、１４は証明書類発行口、１５は視覚障害者に対して音声誘導を行うハンドセット１６と入力用のテンキー１７と入力されたキー情報を点字で表示して障害者に確認させるための点字表示部１７１を有する視覚障害者ユニット、１８は係員を呼び出すための呼出ボタン、１９は硬貨投入口、２０は返却レバー、２１は操作した人物を記録するための人物カメラ、２２は硬貨返却口、２３は紙幣挿入口、２４は紙幣返却口、１００は本発明の特徴である証明書類搬送機構部、２００は所望のフォーマットで証明内容を印字する証明書類印字部、３００および４００は追加機能を増設するための予備用増設カセットである。
【００１７】
図２は、本発明に係る証明書類自動発行装置１の内部機能の一例を示す概略図であるが、本発明はこの構成に限るものではない。
同図において、１は本発明に係る証明書類自動発行装置、３０は操作部、３１はＬＣＤ（表示部）、３２はタッチパネルである。ＬＣＤ３１とタッチパネル３２で図１のＬＣＤ／タッチパネル１１を構成している。
【００１８】
３３はレシート（領収書）用のプリンタで、このプリンタ３３でプリントしたレシート（領収書）が図１のレシート排出口１３から排出される。３４はＩＤカードリーダであり、これによりＩＤカード（ＩＤカードとしては、磁気カード，接触型ＩＣカード、非接触型ＩＣカード、その他如何なるカードであってもよい）に記録された利用者ＩＤを読み込む。利用者確認のために暗証番号も入力させる。
【００１９】
３７は装置が障害を起こした場合などに係員を呼び出す呼出ボタン（図１の１８に対応）、３８は音声案内をするためのスピーカ、３９は制御ボード１、４０は制御ボード２、４１は視覚障害者ユニット１５やスピーカ３８を制御するための制御ボード３、４２は紙幣ユニット、４３は硬貨ユニット、４４は利用者によって請求された各種証明書を発行する証明書類発行部、４５はレーザビームプリンタ、４６は紙幣や硬貨に関する制御（料金、お釣りなどの制御）を行うための制御ボード４、４７は搬送を制御する制御ボード５である。本発明は４４の証明書発行部と４７の制御ボード５に特徴を有している。
【００２０】
また、５０は制御装置、５１はＣＲＴ制御部、５２および５４は通信ボード（ＣＯＭボード）、５３はＩ／Ｆボード１、５５はＨＤＤ（ハードディスク装置）、５６はＦＤＤ（フレキシブルディスク装置）、５７はＣＤ−ＲＯＭ、５８はＬＡＮ（ローカルエリアネットワーク）接続用ボード、５９はＩ／Ｆボード２、６０はＩ／Ｆボード３、６１はプリンタ制御部、７０はサーバやホストなどの各種証明書類に関するデータを管理している上位装置、７１は人物カメラ２１で撮影した操作した人物像を記録する記録装置である。
【００２１】
以下、本発明における証明書類発行操作の一例を示す。
証明書を発行する場合、利用者はまずＬＣＤ／タッチパネル１１の画面により所望のメニューを選択し、ガイダンスにしたがってＩＤカード挿入口１２からＩＤカード（例えば、磁気カード、接触型ＩＣカード、非接触型ＩＣカードなど）を挿入し、ＬＣＤ／タッチパネル１１から暗証番号を入力し本人確認を行なうことによって取引が開始される。
【００２２】
証明書類の取引メニューの入力と本人確認が完了し、証明書の金額に応じた所望の料金を硬貨投入口１９、紙幣投入口２３から投入すると、所望の証明書が証明書類印字部１００で証明書が印刷され、証明書類搬送機構部１００で製本され証明書発行口１４より発行される。同じく、その取引時の領収書はレシート排出口１３から排出され、釣り銭は硬貨返却口２２および紙幣返却口２４より排出され、一連の証明書発行処理が完了する。
【００２３】
図１において、図示しない制御装置によって、上位装置（図示せず）との接続および自動発行装置全体における証明書の発行処理制御を行う。
【００２４】
図３は本発明に係る証明書類搬送機構部１００の要部構成を説明するための図、図４はシーケンスの主要な流れを説明するためのフローチャート、図５は図４におけるスタック前処理（ステップＳ３，Ｓ６）を説明するための図、図６は図４における用紙（証明書類）搬送シーケンス１（ステップＳ４）を説明するためのフローチャート、図７は図４における用紙（証明書類）搬送シーケンス２（製本有りの場合）を説明するためのフローチャート（その１）、図８は図４における用紙（証明書類）搬送シーケンス２（製本有りの場合）を説明するためのフローチャート（その２）、図９は図４における用紙（証明書類）搬送シーケンス（製本無しの場合）を説明するためのフローチャート、図１０は用紙（証明書類）出力シーケンスを説明するためのフローチャート、図１１〜図１６は、証明書類搬送機構部１００および証明書類の状態を示す図である。
【００２５】
以下、図３〜１６を用いて、具体的に動作説明を行う。
図３および図１１〜１６を参照しながら、動作を説明する。
まず、装置の立ち上げ時や障害復旧時、または上位装置から指示があった場合にイニシャライズシーケンスが実行される（ステップＳ１）。
【００２６】
複数枚の証明書の場合（すなわち製本要の場合：ステップＳ２：Ｙ）、「製本有り」のスタック前処理を行う（ステップＳ３）。「製本有り」の場合のスタック前処理は、図５に示すように、第１のスタック手段を開（証明書を挟持するローラを開く）に、第２のスタック手段１２１を閉（下部ベルト１２１ａと上部ベルト１２１ｂの間を閉じる）にし、用紙整列機構（ストッパ）１１９を用紙（証明書）のサイズ位置にセットする。
【００２７】
その後、用紙搬送シーケンス１を実行する（ステップＳ４）。用紙搬送シーケンス１では、詳細を図６に示すように、証明書印字部２００で所望のフォーマットで証明内容が印字され、矢印（イ）方向（図３参照）に送り込まれた証明書を、ローラ１１１を介して取り込み（ステップＳ２２）、重送検知手段１１３で用紙の２枚重なりなどを検知する（ステップＳ２３）。また必要ならば、朱印印字手段１１２において証明書の認証印となる公印を朱印で印字する。ここで重送が検知された場合（ステップＳ２３：Ｎ）、重送検知障害情報として取得保存しておく（ステップＳ２４）。
【００２８】
重送が検知されない場合（ステップＳ２３：Ｙ）、用紙搬送シーケンス２に進み（図４のステップＳ５：このステップの詳細は図７参照）、証明書は、ローラ１１４，１１５、１１６によって第１のスタック手段１１７に搬送され、印刷面が上向きになるよう送り込まれる。
【００２９】
このとき、前述のステップＳ３のスタック前処理によって、ローラ１１５と１１５’間、ローラ１１６と１１６’が開になっており、第１のスタック手段１１７に送り込まれた最初の証明書はローラ１１５，１１６との摩擦による搬送力で用紙整列機構（ストッパ）１１９に先端が突き当たるまでガイド１１７ａ内に送り込まれる。
【００３０】
搬送されてくる次にスタックすべき証明書は前記最初の証明書の下方に送り込まれスタックされる。このようにして所望の枚数の証明書は第１のスタック手段１１７に印刷面を上にして発行順に順次整列スタックされる。用紙整列機構（ストッパ）１１９の位置は証明書のサイズ（例えば、Ａ４，Ｂ５，Ａ５など）に応じてそれぞれ最適な位置に調整される。
【００３１】
上述したようにして所望の枚数の証明書が第１のスタック手段１１７に整列スタックされると（図７のステップＳ３１：Ｙ）、先の重送検知部１１３で重送が検知されていれば（検知障害情報が有り。ステップＳ３２：Ｎ）、搬送を停止して（ステップＳ３５）、エラー終了する。
【００３２】
先の重送検知部１１３で重送が検知されなければ（検知障害情報が無し。ステップＳ３２：Ｙ）、次に、図示しない駆動制御部（図２の制御ボード５やモータに相当）により、搬送を一旦停止する。図１１は、このとき、第１のスタック手段１１７に証明書がスタックされている状態を示す図である。
【００３３】
次に、第１のスタック手段１１７を閉にし、すなわちローラ１１６と１１６’，１１５と１１５’の間を閉じ、製本部切替ゲート１１８を契印・製本部１２０側に切り替え、第１のスタック手段１１７にスタックされている複数枚の証明書を、契印・製本部１２０に送り込む（矢印（ハ）参照）。次に、第１のスタック手段１１７を開にし、すなわちローラ１１６と１１６’，１１５と１１５’の間を空け（以上、ステップＳ３３）、用紙整列機構（ストッパ）１１９を前後に運動させ証明書類の端部をトントンとたたき（矢印（ロ）参照）、証明書類の先端を揃える（ステップＳ３４）。
【００３４】
図１１は、このとき、第１のスタック手段１１７に証明書類がスタックされている状態を示す図である。契印・製本部１２０で、所望の契印（自治体コードなど：図１９の（イ）参照）がパンチされるとともに、ホッチキス（図１９の（ロ）参照）により１セットとして製本される（図８のステップＳ４１）。
【００３５】
次に、用紙整列機構（ストッパ）１１９をホームポジションに待避し（ステップＳ４２）、第１のスタック手段１１７を閉にする（ステップＳ４３）。製本された証明書類は、閉にされたローラ１１５と１１５’，１１６と１１６’の正転によりホームポジションにある用紙整列機構（ストッパ）１１９まで戻される（ステップＳ４４）。図１３は、このときの証明書類の状態を示す図である。
【００３６】
次に、製本部切替ゲート１１８が切り替えられ、再度ローラ１１４，１１５，１１６が逆転され、図中矢印（ニ）方向に搬送される（スイッチバック。ステップＳ４５）。図１４は、このときの証明書類の状態を示す図である。
【００３７】
次に、第２のスタック手段１２１を開、すなわち上部ベルト１２１ｂを上に引き上げ、下部ベルト１２１ａと上部ベルト１２１ｂとの間に空間を作り（ステップＳ４６）、ローラ１１５、１１６を正転して製本された複数枚の証明書を下部ベルト１２１ａと上部ベルト１２１ｂとの間に搬送して（ステップＳ４７：矢印（ホ）参照）、第２のスタック手段１２１にスタックする（ステップＳ４８）。
【００３８】
さらに製本すべき複数枚の証明書を所望する場合は、上記と同様にして、製本した後、第２のスタック手段１２１に重ねてスタックする。
【００３９】
また、証明書印字部２００からの証明書が製本不要の１枚の証明書の場合は（図４のステップＳ２：Ｎ）は、図５の製本無しのスタック前処理を行う。すなわち、第１のスタック手段のローラ１１５と１１５’、ローラ１１６と１１６’を閉じ、第２のスタック手段１２１の上部ベルト１２１ｂを上に引き上げ、下部ベルト１２１ａと上部ベルト１２１ｂとの間に空間を作り（ステップＳ６）、先に述べたのと同様の用紙搬送シーケンス１を実行した後（ステップＳ７）、図９に示す如き用紙搬送シーケンス３を実行する（ステップＳ８）。
【００４０】
用紙搬送シーケンス３では、直接第２のスタック手段１２１にスタックし、同一の用紙のスタックが完了し（ステップＳ５１：Ｙ）、重送検知がされなかった場合には（ステップＳ５２：Ｙ）、処理を終了する。一方、重送検知がされた場合は（ステップＳ５３：Ｎ）、搬送を停止して（ステップＳ５３）、エラー情報を報告するとともに、取引中の用紙を全て第２のスタック手段１２１にスタックした状態で取引中止とする。
【００４１】
上述の如きプロセスを何度か繰返して、所望する全ての証明書が第２のスタック手段１２１内にスタックされるまでステップＳ２〜Ｓ５またはＳ８を繰返し、所望する全ての証明書が第２のスタック手段１２１内にスタックされたら（ステップＳ９：Ｙ）、搬送を停止する（ステップＳ１０）。
【００４２】
その後、必要な料金（手数料）が硬貨投入口１９や紙幣挿入口２３から入金され、取引が成立した場合（ステップＳ１１：Ｙ）、図１０の用紙出力シーケンスを実行す。用紙出力シーケンスでは、第２のスタック手段１２１を閉にし、証明書発行口１２２のゲート（図示せず）を開放し、全ての証明書類を第２のスタック手段１２１から利用者が取り出し可能な位置まで一括に発行される。また、必要な料金（手数料）が硬貨投入口１９や紙幣挿入口２３から入金されない場合は（ステップＳ１１：Ｎ）、取引不成立として取引不成立回収シーケンスが実行される（ステップＳ１７）。
【００４３】
取引が成立して（ステップＳ１１：Ｙ）、第２のスタック手段１２１より所定位置まで発行された証明書類は、一定時間内に利用者が取り出さなかった場合、取り忘れと判断され、証明書の取忘れ回収動作が行われる。取引不成立回収シーケンスや取り忘れによる証明書類の回収動作において、証明書類はローラ１２３、１２４ａ、１２４ｂ、１２４ｃによって搬送され、回収部１２５内に回収される。
【００４４】
本実施例によれば、図３および図１１〜図１６に示すように、第１のスタック手段と第２のスタック手段が一部重なる構成、およびスイッチバック動作を行う構成を有することにより、証明書類自動発行装置の奥行きを、図１７に示した従来方式の装置に比較して証明書サイズ１枚分程度短くすることができる。
【００４５】
また、印刷面を上面に、順次下側に整列してスタックするようにしているので、証明書を発行口に発行した状態で印字面が上面にあり、利用者が裏返して印刷面を確認する必要のない。
【００４６】
【発明の効果】
以上説明したように、本発明によれば、従来方式や前述の公開公報に係る装置に比べ証明書類の印刷、製本を極めて小型で簡単な機構で実現でき、効率の良い証明書類自動発行装置を提供することが可能になる。
【図面の簡単な説明】
【図１】本発明に係る証明書類自動発行装置の概観図である。
【図２】本発明に係る証明書類自動発行装置１の内部機能の一例を示す概略図である。
【図３】本発明に係る証明書類搬送機構部の要部構成を説明するための図である。
【図４】シーケンスの主要な流れを説明するためのフローチャートである。
【図５】図４におけるスタック前処理を説明するための図である。
【図６】図４における用紙（証明書類）搬送シーケンス１を説明するためのフローチャートである。
【図７】図４における用紙（証明書類）搬送シーケンス２（製本有りの場合）を説明するためのフローチャート（その１）である。
【図８】図４における用紙（証明書類）搬送シーケンス２（製本有りの場合）を説明するためのフローチャート（その２）である。
【図９】図４における用紙（証明書類）搬送シーケンス（製本無しの場合）を説明するためのフローチャートである。
【図１０】用紙（証明書類）出力シーケンスを説明するためのフローチャートである。
【図１１】証明書類搬送機構部と証明書類の状態を説明するための図である（その１）。
【図１２】証明書類搬送機構部と証明書類の状態を説明するための図である（その２）。
【図１３】証明書類搬送機構部と証明書類の状態を説明するための図である（その３）。
【図１４】証明書類搬送機構部と証明書類の状態を説明するための図である（その４）。
【図１５】証明書類搬送機構部と証明書類の状態を説明するための図である（その５）。
【図１６】証明書類搬送機構部と証明書類の状態を説明するための図である（その６）。
【図１７】先に提案した公知の証明書類自動発行装置を説明するために図である。
【図１８】図１７の証明書類自動発行装置の正面図である。
【図１９】契印・製本された証明書類の一例を示す図である。
【符号の説明】
１：証明書類自動発行装置、１１：ＬＣＤ／タッチパネル、１２：ＩＤカード挿入口、１３：レシート（領収書）排出口、１４：証明書類発行口、１５：視覚障害者ユニット、１６：ハンドセット、１７：テンキー、１７１：点字表示部、１８：呼出ボタン、１９：硬貨投入口、２０：返却レバー、２１：人物カメラ、２２：硬貨返却口、２３：紙幣挿入口、２４：紙幣返却口、１００：証明書類搬送機構部、２００：証明書類印字部、３００，４００：予備用増設カセット、３０：操作部、３１：ＬＣＤ（表示部）、３２：タッチパネル、３３：レシート（領収書）用のプリンタ、３４：ＩＤカードリーダ、３７：呼出ボタン、３８：スピーカ、３９：制御ボード１、４０：制御ボード２、４１：制御ボード３、４２：紙幣ユニット、４３：硬貨ユニット、４４：証明書類発行部、４５：レーザビームプリンタ、４６：制御ボード４、４７：制御ボード５、５０：制御装置、５１：ＣＲＴ制御部、５２，５４：通信ボード（ＣＯＭボード）、５３：Ｉ／Ｆボード１、５５：ＨＤＤ（ハードディスク装置）、５６：ＦＤＤ（フレキシブルディスク装置）、５７：ＣＤ−ＲＯＭ、５８：ＬＡＮ（ローカルエリアネットワーク）接続用ボード、５９：Ｉ／Ｆボード２、６０：Ｉ／Ｆボード３、６１：プリンタ制御部、７０：上位装置、７１：記録装置、
１１１，１１１’，１１４，１１５，１１５’，１１６，１１６’：ローラ、１１２：朱印印字手段、１１３：重送検知手段、１１７：第１のスタック手段、１１７ａ：ガイド、１１８：製本部切替ゲート、１１９：用紙整列機構（ストッパ）、１２０：契印・製本部、１２１：第２のスタック手段、１２１ａ：下部ベルト、１２１ｂ：上部ベルト。
【図１】
0003773097.tif 000002
【図２】
0003773097.tif 000003
【図３】
0003773097.tif 000004
【図４】
0003773097.tif 000005
【図５】
0003773097.tif 000006
【図６】
0003773097.tif 000007
【図７】
0003773097.tif 000008
【図８】
0003773097.tif 000009
【図９】
0003773097.tif 000010
【図１０】
0003773097.tif 000011
【図１１】
0003773097.tif 000012
【図１２】
0003773097.tif 000013
【図１３】
0003773097.tif 000014
【図１４】
0003773097.tif 000015
【図１５】
0003773097.tif 000016
【図１６】
0003773097.tif 000017
【図１７】
0003773097.tif 000018
【図１８】
0003773097.tif 000019
【図１９】
0003773097.tif 000020